(57)【要約】【課題】フレーム構造を提供する。【解決手段】フレーム構造であって、フレーム孔を有し、薄型フラットパネルディスプレイを容置し、且つ、薄型フラットパネルディスプレイのスクリーンを露出するフレームと、複数の固定素子をフレーム背面に設置し、複数の係止素子が固定素子に装着され、且つ、フレーム孔方向に突伸して、薄型フラットパネルディスプレイの背部に係止し、フレームが滑動するのを防止する固持装置と、からなる。【選択図】図１
0003136151.tif 000002
【実用新案登録請求の範囲】
【請求項１】
フレーム構造であって、薄型フラットパネルディスプレイに応用し、前記フレーム構造は、
フレーム孔を有し、前記薄型フラットパネルディスプレイを容置し、且つ、前記薄型フラットパネルディスプレイのスクリーンを露出するフレームと、
複数の固定素子を前記フレーム背面に設置し、複数の係止素子が固定素子に装着され、且つ、前記フレーム孔方向に突伸して、前記薄型フラットパネルディスプレイの背部に係止する固持装置と、
からなることを特徴とするフレーム構造。
【請求項２】
前記固定素子は留め具で、前記係止素子は棒で、前記留め具に嵌め込まれ、前記フレーム孔方向に突伸することを特徴とする請求項１に記載のフレーム構造。
【請求項３】
前記固定素子は環形素子で、前記係止素子は円形輪止めで、前記環形素子に嵌め込まれ、且つ、前記円形輪止めのラッチボルトは前記フレーム孔方向に突伸することを特徴とする請求項１に記載のフレーム構造。
【請求項４】
前記固定素子は引き環で、前記係止素子は帯状体で、前記帯状体の相対する二端はそれぞれ各引き環上に固設され、前記薄型フラットパネルディスプレイの背部に跨設することを特徴とする請求項１に記載のフレーム構造。
【請求項５】
前記固定素子は引き環で、前記係止素子は帯状体で、前記の各帯状体は前記の二引き環を嵌め込んで、前記薄型フラットパネルディスプレイの背部に跨設し、且つ、少なくとも一つのマジックテープにより前記帯状体の両端を連接することを特徴とする請求項１に記載のフレーム構造。
【請求項６】
更に、少なくとも一つのＬ字型素子を有し、前記フレームと前記薄型フラットパネルディスプレイの結合後の少なくとも一角をネジ止めすることを特徴とする請求項１に記載のフレーム構造。
【考案の詳細な説明】
【技術分野】
【０００１】
本考案は、フレーム構造に関するものであって、特に、薄型フラットパネルディスプレイに応用するフレーム構造に関するものである。
【背景技術】
【０００２】
科学技術の発展と進歩に伴い、フラットパネルディスプレイの尺寸も大きくなり、理想的な家庭用劇場を作り出す。一般の家に一台の大型スクリーンの薄型フラットパネルディスプレイを設置するのは、画像効果を楽しむ以外に、一種の経済能力の表現でもある。
【０００３】
しかし、科学技術の産物である薄型フラットパネルディスプレイを家庭に設置する時、家の内装とマッチしないことが往々にしてあり、室内全体の印象に影響する。個人の精神文明が重視されるので、室内設計における違和感は個人の生活テイストに影響を与える。
【考案の開示】
【考案が解決しようとする課題】
【０００４】
上述の問題を解決するため、本考案は、フレーム構造のフレーム造型が適当に美化された薄型フラットパネルディスプレイにより、室内の内装の全体的美観に影響を与えない薄型フラットパネルディスプレイに応用するフレーム構造を提供することを目的とする。
【０００５】
本考案は、薄型フラットパネルディスプレイとの結合緊密度が高いフレーム構造を提供することをもう一つの目的とする。
【０００６】
本考案は、薄型フラットパネルディスプレイとの組み立てが簡単で、随時、必要に応じて取り外し、高い実用性を有する取り外し可能なフレーム構造を提供することを更なる目的とする。
【課題を解決するための手段】
【０００７】
上述の目的を達成するため、本考案の実施例によるフレーム構造は、フレーム孔を有し、薄型フラットパネルディスプレイを容置し、且つ、薄型フラットパネルディスプレイのスクリーンを露出するフレームと、複数の固定素子をフレーム背面に設置し、複数の係止素子が固定素子に装着され、且つ、フレーム孔方向に突伸して、薄型フラットパネルディスプレイの背部に係止する固持装置と、からなる。
【考案の効果】
【０００８】
本考案のフレーム構造は、薄型フラットパネルディスプレイと結合することにより、薄型フラットパネルディスプレイの美観を向上する。
【考案を実施するための最良の形態】
【０００９】
図１は、本考案の実施例によるフレーム構造を示す図である。フレーム構造１０は、フレーム孔１４を有し、大小が薄型フラットパネルディスプレイの前フレームの大きさと対応して、薄型フラットパネルディスプレイを容置し、且つ、薄型フラットパネルディスプレイのスクリーンを露出するフレームと、複数の固定素子、及び、複数の係止素子からなる固持装置と、からなる。本実施例中、固定素子は四つの留め具１６、１６'で、係止素子は各留め具１６、１６'上に嵌め込まれた棒１８、１８'で、留め具１６、１６'は、それぞれフレーム１２背面の上縁、及び、下縁に設置され、且つ、棒１８、１８'は留め具１６、１６'中で滑動すると共に、フレーム孔１４方向に突伸する。
【００１０】
図２は、フレーム構造１０と薄型フラットパネルディスプレイ２０の組み立て動作を示す図で、フレーム１２は前から後に薄型フラットパネルディスプレイ２０に装着され、薄型フラットパネルディスプレイ２０の前フレーム２２全体を枠設する。同時に、図３を参照すると、フレーム１２背面上縁に位置する留め具１６の棒１８は押し下げられ、薄型フラットパネルディスプレイ２０後ハウジング２４の上縁を係止し、フレーム１２背面下縁に位置する留め具１６'の棒１８'は押し上げられ、薄型フラットパネルディスプレイ２０後ハウジング２４の下縁を係止し、棒１８、１８'が薄型フラットパネルディスプレイ２０後ハウジング２４で係止することにより、フレーム１２の前後滑動を防止する。
【００１１】
フレーム１２背面と薄型フラットパネルディスプレイ２０結合の四隅は、それぞれ、L字素子２６をネジ止めして、フレーム１２と薄型フラットパネルディスプレイ２０の緊密度を増加させ、フレーム１２の固持能力を増加する。
【００１２】
また、図４を参照すると、上述の固定素子は環形素子２８で、係止素子は円形輪止め３０である。円形輪止め３０は環形素子２８に嵌め込まれ、且つ、円形輪止め３０のラッチボルト３２はフレーム孔（図示しない）方向で、フレーム１２と薄型フラットパネルディスプレイ２０が結合する時、ラッチボルト３２の伸縮により、薄型フラットパネルディスプレイ２０の後ハウジング２４で係止して、フレーム１２が前後に滑動するのを防止する。
【００１３】
また、図５で示されるように、固定素子は四つの引き環３４で、フレーム１２背面の上縁と下縁に相対設置され、係止素子は二つの帯状体３６で、その表面はマジックテープ３８を設置し、各帯状体３６はそれぞれ上下二引き環３４を嵌め込んで、薄型フラットパネルディスプレイ２０の後ハウジング２４に跨設され、且つ、適当な跨設長さに調整し、マジックテープ３８により帯状体３６二端を連接する。この帯状体３６の薄型フラットパネルディスプレイ２０の後ハウジング２４の跨設は、フレーム１２と薄型フラットパネルディスプレイ２０の結合の度合いを大幅に向上させ、フレーム１２が前に滑動して薄型フラットパネルディスプレイ２０と分離することがない。また、直接、各帯状体の二端を二引き環上に固設し、薄型フラットパネルディスプレイの後ハウジングを跨設する。
【００１４】
総合すると、本考案の実施形態は薄型フラットパネルディスプレイの前フレーム外周にフレームを設置する構造で、フレームの色、模様、及び、造型は、薄型フラットパネルディスプレイの周辺環境への不調和を緩和させ、同時に、薄型フラットパネルディスプレイを適当に美化し、内装の全体的美観を損なわない。更に、本考案の実施形態のフレームと薄型フラットパネルディスプレイの組み立ては非常に簡単で、よって、随時、環境や心境の変化によりフレームを交換でき、実用性が高い長所を有する。本考案の実施形態は薄型フラットパネルディスプレイと組み合わせた後、二者間の固持度が高く、安全性も高い。
【００１５】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１６】
【図１】本考案の実施例によるフレーム構造図である。
【図２】本考案の実施例によるフレーム構造と薄型フラットパネルディスプレイの組み立て動作図である。
【図３】本考案の実施例によるフレーム構造と薄型フラットパネルディスプレイの組み立て後の背面図である。
【図４】本考案のもう一つの実施例によるフレーム構造と薄型フラットパネルディスプレイの組み立て後の背面図である。
【図５】本考案の更にもう一つの実施例によるフレーム構造と薄型フラットパネルディスプレイの組み立て後の背面図である。
【符号の説明】
【００１７】
１０  フレーム構造
１２  フレーム
１４  フレーム孔
１６、１６'  留め具
１８、１８'  棒
２０  薄型フラットパネルディスプレイ
２２  前フレーム
２４  後ハウジング
２６  Ｌ字型素子
２８  環形素子
３０  円形輪止め
３２  ラッチボルト
３４  引き環
３６  帯状体
３８  マジックテープ
【図１】
0003136151.tif 000003
【図２】
0003136151.tif 000004
【図３】
0003136151.tif 000005
【図４】
0003136151.tif 000006
【図５】
0003136151.tif 000007
【手続補正書】
【提出日】平成19年8月10日(2007.8.10)
【手続補正１】
【補正対象書類名】実用新案登録請求の範囲
【補正対象項目名】全文
【補正方法】変更
【補正の内容】
【実用新案登録請求の範囲】
【請求項１】
フレーム構造であって、薄型フラットパネルディスプレイに応用し、前記フレーム構造は、  フレーム孔を有し、前記薄型フラットパネルディスプレイを容置し、且つ、前記薄型フラットパネルディスプレイのスクリーンを露出するフレームと、  複数の固定素子を前記フレーム背面に設置し、複数の係止素子が固定素子に装着され、且つ、前記フレーム孔方向に突伸して、前記薄型フラットパネルディスプレイの背部に係止する固持装置と、からなることを特徴とするフレーム構造。
【請求項２】
前記固定素子は留め具で、前記係止素子は棒で、前記留め具に嵌め込まれ、前記フレーム孔方向に突伸することを特徴とする請求項１に記載のフレーム構造。
【請求項３】
前記固定素子は環形素子で、前記係止素子は円形輪止めで、前記環形素子に嵌め込まれ、且つ、前記円形輪止めのラッチボルトは前記フレーム孔方向に突伸することを特徴とする請求項１に記載のフレーム構造。
【請求項４】
前記固定素子は引き環で、前記係止素子は帯状体で、前記帯状体の相対する二端はそれぞれ各引き環上に固設され、前記薄型フラットパネルディスプレイの背部に跨設することを特徴とする請求項１に記載のフレーム構造。
【請求項５】
前記固定素子は引き環で、前記係止素子は帯状体で、前記の各帯状体は前記の二引き環を嵌め込んで、前記薄型フラットパネルディスプレイの背部に跨設し、且つ、少なくとも一つのマジックテープ（登録商標）により前記帯状体の両端を連接することを特徴とする請求項１に記載のフレーム構造。
【請求項６】
更に、少なくとも一つのＬ字型素子を有し、前記フレームと前記薄型フラットパネルディスプレイの結合後の少なくとも一角をネジ止めすることを特徴とする請求項１に記載のフレーム構造。
【手続補正２】
【補正対象書類名】明細書
【補正対象項目名】００１３
【補正方法】変更
【補正の内容】
【００１３】  また、図５で示されるように、固定素子は四つの引き環３４で、フレーム１２背面の上縁と下縁に相対設置され、係止素子は二つの帯状体３６で、その表面はマジックテープ（登録商標）３８を設置し、各帯状体３６はそれぞれ上下二引き環３４を嵌め込んで、薄型フラットパネルディスプレイ２０の後ハウジング２４に跨設され、且つ、適当な跨設長さに調整し、マジックテープ（登録商標）３８により帯状体３６二端を連接する。この帯状体３６の薄型フラットパネルディスプレイ２０の後ハウジング２４の跨設は、フレーム１２と薄型フラットパネルディスプレイ２０の結合の度合いを大幅に向上させ、フレーム１２が前に滑動して薄型フラットパネルディスプレイ２０と分離することがない。また、直接、各帯状体の二端を二引き環上に固設し、薄型フラットパネルディスプレイの後ハウジングを跨設する。
【手続補正３】
【補正対象書類名】明細書
【補正対象項目名】００１７
【補正方法】変更
【補正の内容】
【００１７】  １０  フレーム構造  １２  フレーム  １４  フレーム孔  １６、１６'  留め具  １８、１８'  棒  ２０  薄型フラットパネルディスプレイ  ２２  前フレーム  ２４  後ハウジング  ２６  Ｌ字型素子  ２８  環形素子  ３０  円形輪止め  ３２  ラッチボルト  ３４  引き環  ３６  帯状体  ３８  マジックテープ（登録商標）